(57)【要約】【課題】ＨＳＤＰＡを介してパケットを送受信する方法および装置を開示する。【解決手段】高速ダウンリンクパケットアクセス（ＨＳＤＰＡ）を介してパケットを受信する方法は、複数のＨＳＤＰＡメディアアクセス制御（ＭＡＣ−ｈｓ）プロトコルデータユニット（ＰＤＵ）を受信するステップであって、各ＭＡＣ−ｈｓ  ＰＤＵは、ＭＡＣ−ｈｓサービスデータユニット（ＳＤＵ）の少なくとも１つのセグメントを含む、ステップと、ＭＡＣ−ｈｓ  ＳＤＵのセグメントをリアセンブリのために格納するステップと、タイマをセットするステップであって、前記タイマは、前記ＭＡＣ−ｈｓ  ＳＤＵの一部であるセグメントを受信したときにセットされる、ステップと、前記ＭＡＣ−ｈｓ  ＳＤＵの少なくとも一つの他のセグメントが受信される前に前記タイマが満了するという条件で、前記ＭＡＣ−ｈｓ  ＳＤＵの前記格納されたセグメントを廃棄するステップを備える。【選択図】図３
2014064332.tif 000002
【特許請求の範囲】
【請求項１】
高速ダウンリンクパケットアクセス（ＨＳＤＰＡ）を介してパケットを受信する方法であって、
前記方法は、
複数のＨＳＤＰＡメディアアクセス制御（ＭＡＣ−ｈｓ）プロトコルデータユニット（ＰＤＵ）を受信するステップであって、各ＭＡＣ−ｈｓ  ＰＤＵは、ＭＡＣ−ｈｓサービスデータユニット（ＳＤＵ）の少なくとも１つのセグメントを含む、ステップと、
ＭＡＣ−ｈｓ  ＳＤＵのセグメントをリアセンブリのために格納するステップと、
タイマをセットするステップであって、前記タイマは、前記ＭＡＣ−ｈｓ  ＳＤＵの一部であるセグメントを受信したときにセットされる、ステップと、
前記ＭＡＣ−ｈｓ  ＳＤＵの少なくとも一つの他のセグメントが受信される前に前記タイマが満了するという条件で、前記ＭＡＣ−ｈｓ  ＳＤＵの前記格納されたセグメントを廃棄するステップと
を備えることを特徴とする方法。
【請求項２】
前記タイマが満了する前に前記ＭＡＣ−ｈｓ  ＳＤＵの少なくとも一つの他のセグメントが受信されるという条件で、前記ＭＡＣ−ｈｓ  ＰＤＵの前記ＭＡＣ−ｈｓ  ＳＤＵのセグメントを前記ＭＡＣ−ｈｓ  ＳＤＵにリアセンブルするステップをさらに備えることを特徴とする請求項１に記載の方法。
【請求項３】
送信が前記ＭＡＣ−ｈｓ  ＳＤＵの少なくとも一つの他のセグメントについて失敗したかどうかを判定するステップをさらに備えることを特徴とする請求項１に記載の方法。
【請求項４】
前記ＭＡＣ−ｈｓ  ＳＤＵの少なくとも１つの他のセグメントが失われるという条件で、リアセンブリを待っている前記ＭＡＣ−ｈｓ  ＳＤＵのセグメントを廃棄するステップをさらに備えることを特徴とする請求項１に記載の方法。
【請求項５】
第２のＭＡＣ−ｈｓ  ＳＤＵのセグメントについてのハイブリッド自動再送要求（Ｈ−ＡＲＱ）プロセス失敗を検出するステップと、
リアセンブリを待っている前記第２のＭＡＣ−ｈｓ  ＳＤＵの少なくとも一つの他のセグメントを廃棄するステップと
をさらに備えることを特徴とする請求項１に記載の方法。
【請求項６】
高速ダウンリンクパケットアクセス（ＨＳＤＰＡ）を介してパケットを受信する無線送受信ユニット（ＷＴＲＵ）であって、
前記ＷＴＲＵは、
複数のＨＳＤＰＡメディアアクセス制御（ＭＡＣ−ｈｓ）プロトコルデータユニット（ＰＤＵ）を受信し、各ＭＡＣ−ｈｓ  ＰＤＵは、少なくとも１つのＭＡＣ−ｈｓサービスデータユニット（ＳＤＵ）のセグメントを備え、
タイマをセットし、前記タイマは、前記ＭＡＣ−ｈｓ  ＳＤＵの一部であるセグメントを受信したときにセットされ、
前記ＭＡＣ−ｈｓ  ＳＤＵの少なくとも一つの他のセグメントが受信される前に前記タイマが満了するという条件で、リアセンブリのために格納されたＭＡＣ−ｈｓ  ＳＤＵのセグメントを廃棄する
ように構成されたプロセッサを備えることを特徴とするＷＴＲＵ。
【請求項７】
前記プロセッサは、前記タイマが満了する前に前記ＭＡＣ−ｈｓ  ＳＤＵの少なくとも一つの他のセグメントが受信されるという条件で、前記ＭＡＣ−ｈｓ  ＰＤＵの前記ＭＡＣ−ｈｓ  ＳＤＵのセグメントを前記ＭＡＣ−ｈｓ  ＳＤＵにリアセンブルするように構成されていることを特徴とする請求項６に記載のＷＴＲＵ。
【請求項８】
前記プロセッサは、送信が前記ＭＡＣ−ｈｓ  ＳＤＵの少なくとも一つの他のセグメントについて失敗したかどうかを判定するように構成されていることを特徴とする請求項６に記載のＷＴＲＵ。
【請求項９】
前記プロセッサは、前記ＭＡＣ−ｈｓ  ＳＤＵの少なくとも１つの他のセグメントが失われるという条件で、リアセンブリのために格納されたＭＡＣ−ｈｓ  ＳＤＵのセグメントを廃棄するように構成されていることを特徴とする請求項６に記載のＷＴＲＵ。
【請求項１０】
前記プロセッサは、前記ＭＡＣ−ｈｓ  ＳＤＵの全てのセグメントが受信される前に前記タイマが満了するという条件で、リアセンブリを待っている前記ＭＡＣ−ｈｓ  ＳＤＵの全てのセグメントをバッファからフラッシュするように構成されていることを特徴とする請求項６に記載のＷＴＲＵ。
【請求項１１】
前記プロセッサは、ハイブリッド自動再送要求（Ｈ−ＡＲＱ）プロセス失敗が第２のＭＡＣ−ｈｓ  ＳＤＵの他のセグメントについて検出されるという条件で、リアセンブリを待っている第２のＭＡＣ−ｈｓ  ＳＤＵの少なくとも一つのセグメントを廃棄するように構成されていることを特徴とする請求項６に記載のＷＴＲＵ。
【請求項１２】
前記プロセッサは、ＭＡＣ−ｈｓ  ＳＤＵのセグメントをリアセンブリのために格納するように構成されていることを特徴とする請求項６に記載のＷＴＲＵ。
【発明の詳細な説明】
【技術分野】
【０００１】
本発明は、無線通信システムに関する。
【背景技術】
【０００２】
ＨＳＤＰＡは、パケットデータユーザのダウンリンクでのデータレートを高めるために３ＧＰＰ（third generation partnership project）仕様のＲｅｌｅａｓｅ  ５で導入された特徴である。ダウンリンクデータは、Ｎｏｄｅ−Ｂによって高速ダウンリンク共有チャネル（ＨＳ−ＤＳＣＨ）を介して無線送受信ユニット（ＷＴＲＵ）に送信される。ＷＴＲＵは、高速専用制御チャネル（ＨＳ−ＤＰＣＣＨ）を介してＮｏｄｅ−Ｂにフィードバックを送信する。
【０００３】
適応変調および符号化（ＡＭＣ）、ハイブリッド自動再送要求（Ｈ−ＡＲＱ）、および高速Ｎｏｄｅ−Ｂスケジューリングが、ＨＳＤＰＡの新しい特徴の一部である。ＡＭＣは、ＷＴＲＵによって知覚されるチャネル状態に従ってＨＳ−ＤＳＣＨ上の伝送データレートを適合させる。Ｎｏｄｅ−Ｂは、次の情報を使用して、個々の伝送に最適のレートおよびスケジューリングを決定する。  
（１）ＷＴＲＵによって知覚されるチャネルの品質を示す、ＷＴＲＵから報告されるチャネル品質インジケータ（ＣＱＩ）、
（２）関連する専用チャネルの送信電力制御（ＴＰＣ）コマンド、および
（３）前のＨＳ−ＤＳＣＨ送信に応答する、肯定の肯定応答（ＡＣＫ）／否定の肯定応答（ＮＡＣＫ）フィードバック。
【０００４】
より低いデータレートが、一般に、望ましくないチャネル状態を知覚するＷＴＲＵ（たとえば、セルエッジにある）への送信に使用され、２ｍｓの送信タイムインターバル（ＴＴＩ）あたりのより少ないトランスポートブロックをもたらす。より高いデータレートは、望ましいチャネル状態を知覚するＷＴＲＵへの送信に使用され、２ｍｓ  ＴＴＩあたりのより多くのトランスポートブロックをもたらす。
【０００５】
ＷＴＲＵは、ＨＳ−ＤＰＣＣＨを介してＣＱＩを報告し、このＣＱＩは、ＷＴＲＵによってダウンリンクで知覚されるチャネルの品質の表示をＮｏｄｅ−Ｂに与える。ＣＱＩは、ＷＴＲＵが２ｍｓ  ＴＴＩ以内にダウンリンクで受信できる最大のＭＡＣ−ｈｓトランスポートブロックサイズを示し、このサイズについて、トランスポートブロックエラー確率は、０．１（すなわち、１０％）未満である。Ｃａｔｅｇｏｒｙ  １０  ＷＴＲＵのＣＱＩとトランスポートブロックサイズとの間のマッピングを、表１に示す。異なるＣＱＩルックアップテーブルが、ＷＴＲＵカテゴリごとに設けられる。より高いＣＱＩ値は、より大きいトランスポートブロックサイズに対応する。
【０００６】
【表１】
2014064332.tif 000003
【０００７】
ＨＳＤＰＡの重要な応用が、ＶｏＩＰ（Voice over IP）トラフィックの伝送である。ＶｏＩＰは、パケット交換網を介する音声のトランスポートのための新生のテクノロジである。ＶｏＩＰは、エンドツーエンド遅延が最も厳格な要件なので、サービス品質（ＱｏＳ）に関して非リアルタイムデータ指向応用とは大きく異なる。
【０００８】
図１に、ＵＭＴＳ（universal mobile telecommunication system）内のＶｏＩＰの伝送のプロトコルアーキテクチャを示す。音声信号は、２０ｍｓ持続時間のフレーム内で音声コーデックによってエンコードされる。次に、エンコードされた音声信号は、リアルタイムトランスミットプロトコル（ＲＴＰ）、ユーザデータグラムプロトコル（ＵＤＰ）、およびインターネットプロトコル（ＩＰ）を介して搬送される。これらは、パケット交換網を介する音声トラフィックのトランスポートのための一般に受け入れられているプロトコルである。
【０００９】
図２に、従来のＶｏＩＰパケットを示す。無線ネットワークを介して送信されるＶｏＩＰパケットは、ＩＰバージョン（すなわち、ＩＰｖ４またはＩＰｖ６）に依存して、サイズにおいて７２バイトまたは９２バイトとすることができる。図１をもう一度参照すると、ＶｏＩＰパケットは、ＰＤＣＰ（packet data convergence protocol）レイヤに送達され、ＰＤＣＰレイヤは、エアインターフェースを介する送信のためにＲＴＰヘッダ、ＵＤＰヘッダ、およびＩＰヘッダを圧縮する。ＰＤＣＰレイヤは、ＲＯＨＣ（robust header compression）を使用する。複数の状態を、単一のＶｏＩＰ呼の寿命全体を通じてＲＯＨＣについて定義することができる。１つの状態で、圧縮を全く伴わないフルフレームを、送信のためにより下位のレイヤに送達することができる。もう１つの状態で、約１バイトまでのＲＴＰ／ＵＰＤ／ＩＰヘッダのフル圧縮を行うことができる。これは、３３バイトから９２バイトまでの範囲にわたる、可変パケットサイズをもたらす。
【００１０】
圧縮されたＰＤＣＰレイヤは、その後、無線リンク制御（ＲＬＣ）レイヤに送達される。ＲＬＣレイヤは、通常、ＶｏＩＰパケットについてＵＭ（unacknowledged mode）で動作する。ＲＬＣレイヤは、追加の１バイトヘッダをＰＤＣＰレイヤパケットに追加する。メディアアクセス制御（ＭＡＣ）レイヤに送達されるＲＬＣプロトコルデータユニット（ＰＤＵ）は、３４バイト（ＩＰｖ４に関するフルヘッダ圧縮）から９３バイト（ヘッダ圧縮なし）までの範囲のサイズを有する。ＭＡＣレイヤは、送信に関する単一のトランスポートブロック内に１つまたは複数のＲＬＣ  ＰＤＵを含む（各ＲＬＣ  ＰＤＵは１つのＶｏＩＰパケットに対応する）。
【００１１】
ＷＴＲＵは、ＣＱＩをＮｏｄｅ−Ｂに送信することによって、知覚されたダウンリンクチャネル品質を報告する。ＣＱＩは、ＷＴＲＵがパケットエラーの１０％確率を伴って受信できる最大のトランスポートブロックサイズを示す。低いＣＱＩ値が、より小さいトランスポートブロックサイズに対応する悪いチャネル状態でＮｏｄｅ−Ｂに報告される。いくつかの場合に、ＷＴＲＵに次に送信されるパケットは、ＣＱＩを介して指定される最大トランスポートブロックサイズより大きい場合がある。例としてＶｏＩＰサービスを考慮すると、ＲＬＣ  ＰＤＵが、サイズにおいて２７２ビット（３４バイト）から７３６ビット（９２バイト）までの範囲にわたる場合に、表１によれば、ＣＱＩ値１、２、および３は、２７２ビットＲＬＣ  ＰＤＵには小さすぎるトランスポートブロックを提案する。同様に、ＣＱＩ値１から７までは、最大ＲＬＣ  ＰＤＵ（すなわち、７３６ビット）には小さすぎるトランスポートブロックサイズを提案する。
【００１２】
Ｎｏｄｅ−Ｂは、ＣＱＩがキュー（待ち行列）内の次のパケットより小さいブロックサイズを示す時に、２つの異なる形で反応することができる。Ｎｏｄｅ−Ｂは、チャネル状態が改善され、ＷＴＲＵが穏当なエラー確率でＭＡＣ−ｈｓ  ＰＤＵを受信できることをＷＴＲＵが示すまで、待つことができる。その代わりに、Ｎｏｄｅ−Ｂが、ＣＱＩによって示されるものより大きいトランスポートブロックサイズを送信し、パケットの成功の送達に関してＨ−ＡＲＱプロセスに頼ることができる。
【００１３】
第１の手法では、Ｎｏｄｅ−Ｂは、Ｎｏｄｅ−Ｂがキュー内の次のパケットを送信するのに十分に大きいＣＱＩを受信するまで、ＷＴＲＵへの送信を全くスケジューリングしない。これは、より大きいＣＱＩレポートが、チャネル状態が改善された後に限って報告されるので、長い時間を要する可能性がある。この手法は、可変遅延を許容できる非リアルタイム応用には適するかもしれないが、ＶｏＩＰなどの遅延に敏感な応用については受け入れられない。
【００１４】
第２の手法では、Ｎｏｄｅ−Ｂは、低いＣＱＩに関わりなくＶｏＩＰパケットの送信をスケジューリングする。送信は、１０％エラー確率で受信できるものより大きいトランスポートブロックのゆえに、失敗する可能性が高い。成功の送信は、最終的に、Ｈ−ＡＲＱ機構を介するある回数の再送信の後に発生しなければならない。しかし、Ｈ−ＡＲＱ再送信は、リアルタイム応用に望ましくない遅延を持ち込む。従来のＨＳＤＰＡシステムは、特に悪いチャネル状態を知覚するユーザにとって、効果的にリアルタイムトラフィックを転送しない。
【発明の概要】
【００１５】
ＨＳＤＰＡを介してパケットを送信し、受信する方法および装置を開示する。少なくとも１つのＨＳＤＰＡのメディアアクセス制御（ＭＡＣ−ｈｓ）サービスデータユニット（ＳＤＵ）が、複数のセグメントにセグメント化（細分化）される。複数のＭＡＣ−ｈｓ  ＰＤＵが、セグメントから生成され、ここで、各ＭＡＣ−ｈｓ  ＰＤＵは、少なくとも１つのセグメントを含む。各ＭＡＣ−ｈｓ  ＰＤＵは、単一のＭＡＣ−ｈｓ  ＳＤＵからの１つのセグメントを含むことができる。セグメントのサイズは、ＭＡＣ−ｈｓ  ＳＤＵの最後のセグメントを除いて、ＭＡＣ−ｈｓ  ＰＤＵのサイズからＭＡＣ−ｈｓ  ＰＤＵのヘッダのサイズを引いたものと一致するものとすることができる。セグメントのサイズは、ＭＡＣ−ｈｓ  ＳＤＵがセグメント化されるセグメントの個数に基づいて決定することができる。ＭＡＣ−ｈｓ  ＰＤＵに含まれるセグメントを、任意に選択することができる。あるいは、各ＭＡＣ−ｈｓ  ＰＤＵが、複数のＭＡＣ−ｈｓ  ＳＤＵからのセグメントの組合せ、または１つのＭＡＣ−ｈｓ  ＳＤＵからの少なくとも１つのセグメントと少なくとも１つのＭＡＣ−ｈｓ  ＳＤＵ全体との組合せを含むこともできる。
【図面の簡単な説明】
【００１６】
より詳細な理解を、例示として与えられ、添付図面と共に理解されるべき以下の説明から得ることができる。
【図１】ＵＭＴＳ内のＶｏＩＰの伝送のプロトコルアーキテクチャを示す図である。
【図２】従来のＶｏＩＰパケットを示す図である。
【図３】Ｎｏｄｅ−Ｂ内のＭＡＣ−ｈｓレイヤを示す図である。
【図４】ＷＴＲＵ内のＭＡＣ−ｈｓレイヤを示す図である。
【図５】第１実施形態によるＭＡＣ−ｈｓ  ＳＤＵセグメント化方式を示す図である。
【図６】第２実施形態によるＭＡＣ−ｈｓ  ＳＤＵセグメント化方式を示す図である。
【図７】第３実施形態によるＭＡＣ−ｈｓ  ＳＤＵセグメント化方式を示す図である。
【図８】第４実施形態によるＭＡＣ−ｈｓ  ＳＤＵセグメント化方式を示す図である。
【図９】ＭＡＣ−ｈｓ  ＳＤＵの最後のセグメントおよび１つまたは複数の後続ＭＡＣ−ｈｓ  ＳＤＵ全体を含むＭＡＣ−ｈｓ  ＰＤＵの生成を示す図である。
【図１０】ＭＡＣ−ｈｓ  ＳＤＵのセグメント化およびセグメントのうちの１つの消失を示す図である。
【図１１】ほとんどがパディングによって充てんされるパケットの生成を示す図である。
【図１２】ほとんどがＭＡＣ−ｈｓ  ＳＤＵビットによって充てんされる２つのＭＡＣ−ｈｓ  ＰＤＵの生成を示す図である。
【発明を実施するための形態】
【００１７】
以下で参照される時に、用語「ＷＴＲＵ」は、ユーザ機器（ＵＥ）、移動局、固定のまたはモバイルの加入者ユニット、ポケットベル、セル電話機、携帯情報端末（ＰＤＡ）、コンピュータ、または無線環境で動作できるすべての他のタイプのユーザデバイスを含むが、これらに限定はされない。以下で参照される時に、用語「Ｎｏｄｅ−Ｂ」は、基地局、サイトコントローラ、アクセスポイント（ＡＰ）、または無線環境で動作できるすべての他のタイプのインターフェースするデバイスを含むが、これらに限定はされない。
【００１８】
本明細書で説明される実施形態は、３ＧＰＰ  ＵＭＴＳ無線通信システムを含むが、これに限定はされない任意の無線通信システムでも実施することができる。
【００１９】
遅延に敏感なデータ（たとえば、ＶｏＩＰトラフィック）の転送を改善するために、ＨＳＤＰＡシステムのダウンリンクで、パケットをＭＡＣ−ｈｓレイヤでセグメント化することができる。より大きいパケットは、より高い信頼性でのより小さいセグメントの成功の転送を可能にするために、より小さいパケットにセグメント化される。これは、Ｎｏｄｅ−Ｂが、複数のＴＴＩを介してセグメントを送信し、ＴＴＩあたりのトランスポートブロックサイズを減らすことを可能にする。より小さいトランスポートブロックを、より低い変調レートおよび／またはより高い符号化レートを使用して送信し、より信頼できる転送を保証し、Ｈ−ＡＲＱ再送信を最小化することができる。
【００２０】
図３に、Ｎｏｄｅ−Ｂ内のＭＡＣ−ｈｓレイヤ３００の機能アーキテクチャを示す。ＭＡＣ−ｈｓレイヤ３００は、スケジューリングおよび優先ハンドリングエンティティ３０２、セグメント化エンティティ３０６、Ｈ−ＡＲＱエンティティ３０８、ならびにトランスポートフォーマットおよびリソースコンビネーション（ＴＦＲＣ）選択エンティティ３１０を含む。ＭＡＣ−ｈｓ  ＳＤＵは、上位レイヤ（たとえば、ＭＡＣ−ｄレイヤ）から受け取られ、優先キュー分配機能３０４に従って複数の優先キュー３０５のうちの１つに格納される。スケジューリングおよび優先ハンドリングエンティティ３０２は、各新しいＭＡＣ−ｈｓ  ＰＤＵのキューＩＤおよびＴＳＮを管理し、決定する。
【００２１】
セグメント化エンティティ３０６は、少なくとも１つのＭＡＣ−ｈｓ  ＳＤＵが複数のセグメントにセグメント化されるようにするためにＮｏｄｅ−ＢのＭＡＣ−ｈｓレイヤ３００に含まれる。少なくとも１つのＭＡＣ−ｈｓ  ＳＤＵを、セグメント化エンティティ３０６によって複数のセグメントにセグメント化することができる。少なくとも１つのセグメントは、その後、ＭＡＣ−ｈｓ  ＰＤＵに含まれ、このＭＡＣ−ｈｓ  ＰＤＵは、Ｈ−ＡＲＱエンティティ３０８を介して送信される。Ｈ−ＡＲＱプロセスは、エアインターフェースを介してＭＡＣ−ｈｓ  ＰＤＵごとに個別に実行される。ＴＦＲＣ選択エンティティ３１０は、ＭＡＣ−ｈｓ  ＰＤＵごとにトランスポートフォーマットおよびリソースを選択する。ＭＡＣ−ｈｓ  ＰＤＵは、物理レイヤ（物理層）３２０を介して無線で送信される。
【００２２】
図４に、ＷＴＲＵ内のＭＡＣ−ｈｓレイヤ４００の機能アーキテクチャを示す。ＭＡＣ−ｈｓレイヤ４００は、Ｈ−ＡＲＱエンティティ４０２、リオーダリング（並べ替え）キュー分配４０４、リオーダリングエンティティ４０６、リアセンブリ（再組み立て）エンティティ４０８、およびディスアセンブリ（分解）エンティティ４１０を含む。ＭＡＣ−ｈｓ  ＰＤＵは、物理レイヤ４２０を介してＨ−ＡＲＱエンティティ４０２によって受け取られる。受け取られたＭＡＣ−ｈｓ  ＰＤＵは、送信シーケンス番号（ＴＳＮ）によるリオーダリングのために、リオーダリングキュー分配４０４を介してリオーダリングエンティティ４０６に送られる。リオーダリングされたＭＡＣ−ｈｓ  ＰＤＵは、リアセンブリエンティティ４０８によってリアセンブル（再組み立て）される。リアセンブルされたＭＡＣ−ｈｓ  ＰＤＵは、上位レイヤ（たとえば、ＭＡＣ−ｄレイヤ）に送られるＭＡＣ−ｈｓ  ＳＤＵを抽出するためにディスアセンブリエンティティ４１０に送られる。
【００２３】
Ｎｏｄｅ−ＢとＷＴＲＵとの間のＰＤＵのセグメント化およびリアセンブリの調整を、下で詳細に説明される新しいＭＡＣ−ｈｓヘッダを使用することによってまたはＨＳ−ＳＣＣＨ（high speed shared control channel）を介してシグナリングすることができる。
【００２４】
図５に、第１実施形態によるＭＡＣ−ｈｓ  ＳＤＵセグメント化方式を示す。ＭＡＣ−ｈｓ  ＳＤＵ  ５０２（たとえば、ＭＡＣ−ｄ  ＰＤＵ）を、複数のセグメントにセグメント化することができる。各ＭＡＣ−ｈｓ  ＰＤＵ  ５０４ａ〜５０４ｎは、多くとも１つのＭＡＣ−ｈｓ  ＳＤＵ  ５０２からの単一のセグメント５０８ａ〜５０８ｎを含む。各セグメントのサイズは、最後のセグメントを除いて、正確にＭＡＣ−ｈｓ  ＰＤＵのサイズからＭＡＣ−ｈｓヘッダサイズを引いたものに一致する。最後のセグメントを含むＭＡＣ−ｈｓ  ＰＤＵ  ５０４ｎは、パディング（つけ足し）ビット５１０を含んでもよい。
【００２５】
図５には、第１実施形態によるＭＡＣ−ｈｓヘッダフォーマットも示されている。ＭＡＣ−ｈｓヘッダ５０６ａ〜５０６ｎは、ＭＡＣ−ｈｓセグメント化方式を示す。ＭＡＣ−ｈｓヘッダ５０６ａ〜５０６ｎは、バージョンフラグ（ＶＦ）、キューＩＤ、ＴＳＮ、サイズ識別子（ＳＩＤ）、およびフラグメントシーケンス番号（ＦＳＮ）を含む。ＭＡＣ−ｈｓヘッダ５０６ａ〜５０６ｎ内の情報要素の正確な順序が、重要ではなく、変更され得ることに留意されたい。
【００２６】
従来の１ビットＶＦフィールドを、１ビットから２ビットに拡張することができる。第１ビットに’１’をセットして（既定のリザーブ値）、ＭＡＣ−ｈｓ  ＳＤＵのセグメント化をサポートする新しいＭＡＣ−ｈｓ  ＰＤＵフォーマットを示すことができる。新しいＭＡＣ−ｈｓ  ＰＤＵフォーマットは、１つのＭＡＣ−ｈｓ  ＳＤＵが複数のセグメントにセグメント化される時に限って使用されなければならない。そうでない場合には、従来のＭＡＣ−ｈｓ  ＰＤＵフォーマットが、ＭＡＣ−ｈｓ  ＳＤＵのトランスポートに使用されなければならない。ＶＦフィールドの第２ビットには’０’をセットすることができ、値’１’は、将来目的のために予約済みである。
【００２７】
キューＩＤは、異なるリオーダリングキューに属するデータの独立バッファ処理をサポートするために、ＷＴＲＵ内のリオーダリングキューを識別する。ＴＳＮは、ＨＳ−ＤＳＣＨ上の送信シーケンス番号のための識別子である。ＴＳＮは、上位レイヤへのシーケンス通りの送達をサポートするためのリオーダリング目的に使用される。ＳＩＤは、ＭＡＣ−ｈｓ  ＳＤＵのサイズのための識別子である。オプションで、ＳＩＤを、最初のセグメントを含まないすべてのＭＡＣ−ｈｓ  ＰＤＵ内で省略することができる。ＦＳＮは、オプションであり、フラグメントシーケンス番号のための識別子を提供する。
【００２８】
オプションで、追加の１ビットフラグ（図５には図示せず）をＭＡＣ−ｈｓヘッダに追加して、ＭＡＣ−ｈｓ  ＰＤＵ内にパディングがあるか否かを示すことができる。この１ビットフラグは、ＷＴＲＵがＦＳＮおよび以前のセグメントのサイズに基づいてパディングビットの量を判定できるので、オプションである。セグメントのサイズは、最後のセグメントを含むＭＡＣ−ｈｓ  ＰＤＵだけがパディングビットを含むので、またはＭＡＣ−ｈｓ  ＳＤＵのサイズがＳＩＤによって示されるのでのいずれかの理由で、ヘッダ内で示される必要がない。
【００２９】
図６に、第２実施形態によるＭＡＣ−ｈｓ  ＳＤＵセグメント化方式を示す。各ＭＡＣ−ｈｓ  ＰＤＵ  ６０４ａ〜６０４ｎは、多くとも単一のＭＡＣ−ｈｓ  ＳＤＵ  ６０２を含む。ＭＡＣ−ｈｓ  ＳＤＵ  ６０２のすべてのセグメント６０８ａ〜６０８ｍは、セグメントの個数（合計Ｓ個のセグメント）に基づく事前に決定されるサイズを有する。サイズを計算するために、ルールを定義する。好ましくは、最初のＳ−１個のセグメントのサイズは、ＭＡＣ−ｈｓ  ＳＤＵのサイズをＳの最も近い倍数へ上に丸め、その後、Ｓによって割ったものである。最後のセグメント６０８ｍのサイズは、ＭＡＣ−ｈｓ  ＳＤＵ  ６０２のサイズから前のＳ−１個のセグメントのサイズの合計を引いたものである。どのＭＡＣ−ｈｓ  ＰＤＵ  ６０４ａ〜６０４ｎも、パディングビットを含んでよい。ＷＴＲＵは、ＭＡＣ−ｈｓ  ＳＤＵのセグメントの既知のサイズに基づいて、どのビットがパディングビットであるのかを知る。各ＭＡＣ−ｈｓ  ＰＤＵ  ６０４ａ〜６０４ｎは、ＭＡＣ−ｈｓ  ＳＤＵの１つまたは複数のセグメントを含む（必ずしも連続的ではない）。Ｎｏｄｅ−Ｂスケジューラは、現在のチャネル状態と、同一のＭＡＣ−ｈｓ  ＳＤＵのセグメントを含むＭＡＣ−ｈｓ  ＰＤＵの過去の送信の成功または失敗とに基づいて、ＭＡＣ−ｈｓ  ＳＤＵのセグメントの任意のサブセットを送信するという柔軟性（フレキシビリティ）を有する。
【００３０】
第１実施形態と比較して、第２実施形態は、セグメントの再送信におけるより高い選択性を可能にするという利益を有する。短所は、おそらくは、ヘッダおよびパディングに起因する各ＭＳＣ−ｈｓ  ＰＤＵ内のより大きいオーバーヘッドである。
【００３１】
図６に、第２実施形態によるＭＡＣ−ｈｓヘッダフォーマットをも示す。ＭＡＣ−ｈｓヘッダ６０６ａ〜６０６ｎは、ＶＦ、キューＩＤ、ＴＳＮ、ＭＡＣ−ｈｓ  ＳＤＵのフラグメント数（ＮＦＭ）フィールド、ＦＳＤＩ、およびＳＩＤを含む。ＭＡＣ−ｈｓヘッダ内の情報要素の正確な順序が、重要ではなく、変更され得ることに留意されたい。ＶＦ、キューＩＤ、ＴＳＮ、およびＳＩＤは、第１実施形態と同一であり、したがって、説明を単純にするために、再び説明はしない。
【００３２】
ＮＦＭフィールドは、ＭＡＣ−ｈｓ  ＳＤＵのセグメントの個数を示す。ＮＦＭフィールドは、ＭＳＣ−ｈｓ  ＳＤＵのセグメントの個数がある値（たとえば、８）に固定される場合に、省略されてよい。ＮＦＭフィールドのビット数は、可能なセグメントの個数に依存する。たとえば、セグメントの個数を２個または４個のいずれかとすることができる場合に、ＮＦＭフィールドを１ビットとすることができる。
【００３３】
ＦＳＩＤは、ＭＡＣ−ｈｓ  ＰＤＵ内で送信されるセグメントを示すビットマップである。ＦＳＩＤのサイズは、ＮＦＭフィールドによって示されるセグメントの個数である。したがって、ＮＦＭフィールドは、ＮＦＭフィールドが存在しない場合を除いて、ＦＳＩＤフィールドに先行しなければならない。ＳＩＤは、最初のセグメントを含まないすべてのＭＡＣ−ｈｓ  ＰＤＵで省略されてよい。
【００３４】
図７に、第３実施形態によるＭＡＣ−ｈｓ  ＳＤＵセグメント化方式を示す。各ＭＡＣ−ｈｓ  ＰＤＵ  ７０４ａ〜７０４ｎは、多くとも単一のＭＡＣ−ｈｓ  ＳＤＵ  ７０２からの信号セグメントを含むことができる。ＭＡＣ−ｈｓ  ＳＤＵ  ７０２内のセグメントの位置は、任意であり、そのセグメントを含むＭＡＣ−ｈｓヘッダ７０６ａ〜７０６ｎ内で示される。Ｎｏｄｅ−Ｂスケジューラは、現在のチャネル状態と、同一のＭＡＣ−ｈｓ  ＳＤＵ７０２のセグメントを含むＭＡＣ−ｈｓ  ＰＤＵ７０４ａ〜７０４ｎの過去の送信の成功または失敗とに基づいて、ＭＡＣ−ｈｓ  ＳＤＵ７０２の任意の位置で任意のサイズの任意のセグメントを送信するという柔軟性を有する。
【００３５】
図７には、第３実施形態によるＭＡＣ−ｈｓヘッダフォーマットも示されている。ＭＡＣ−ｈｓヘッダ７０６ａ〜７０６ｎは、ＶＦ、キューＩＤ、ＴＳＮ、開始位置識別子（ＳＰＩＤ）、およびＳＩＤを含む。ＭＡＣ−ｈｓヘッダ内の情報要素の正確な順序が、重要ではなく、変更され得ることに留意されたい。ＶＦ、キューＩＤ、ＴＳＮ、およびＳＩＤは、第１実施形態と同一であり、したがって、説明を単純にするために、再び説明はしない。ＳＩＤは、最初のセグメントを含まないすべてのＭＡＣ−ｈｓ  ＰＤＵで省略されてよい。
【００３６】
ＳＰＩＤは、ＭＡＣ−ｈｓ  ＳＤＵ内のセグメントの開始位置を示す。位置表示の粒度を定義する複数の方式が可能である。ＳＰＩＤは、ビット単位またはバイト単位でセグメントの開始位置を示すことができる。たとえば、１０２４ビットまでのＭＡＣ−ｈｓ  ＳＤＵサイズが許容される場合に、ＳＰＩＤのサイズは、ビット単位で表される場合に１０ビット、バイト単位で表される場合に７ビットである。
【００３７】
代替案では、ＳＰＩＤは、開始位置を示すセグメント番号を示すことができる。たとえば、任意のＭＡＣ−ｈｓ  ＳＤＵについて４つの事前に確立された開始位置がある場合に、開始位置は、ＭＡＣ−ｈｓ  ＳＤＵサイズを最も近い４の倍数へ上に丸め、４で割り、この数の倍数をとることによって計算することができる。オプションで、事前に確立される開始位置の個数を、第２実施形態のＮＦＭに似た別々のフィールドによって示すことができる。
【００３８】
オーバーヘッドを減らすために、ＳＰＩＤの第１ビットを、開始位置がＭＡＣ−ｈｓ  ＳＤＵの始めであるかどうかを示すためにリザーブ（予約）することができる。開始位置がＭＡＣ−ｈｓ  ＳＤＵの始めである場合に、ＳＰＩＤフィールドを単一ビットにすることができる。したがって、ＳＰＩＤのサイズを、セグメントがＭＡＣ−ｈｓ  ＳＤＵの始めから始まる場合に１ビット、そうでない場合にＮ＋１ビットとすることができ、ここで、Ｎは、開始位置を示すのに必要なビット数である。この方式は、開始位置を示すのに必要なビット数が、送信されるセグメントの個数より大きい場合に、オーバーヘッドを減らす。
【００３９】
オプションで、終了位置インジケータ（ＥＰＩＤ）または長さインジケータ（ＬＩＤ）をＭＡＣ−ｈｓ  ＰＤＵヘッダに含めて、それぞれ、ＭＡＣ−ｈｓ  ＳＤＵ内のセグメントの終了位置またはセグメントの長さを示すことができる。類似する方式を、ＳＰＩＤとしてＥＰＩＤおよびＬＩＤをエンコードするのに使用することができる。
【００４０】
図８に、第４実施形態によるＭＡＣ−ｈｓ  ＳＤＵセグメント化方式を示す。各ＭＡＣ−ｈｓ  ＰＤＵ  ８０４ａ〜８０４ｎは、１つまたは複数のＭＡＣ−ｈｓ  ＳＤＵ  ８０２ａ、８０２ｂからの１つまたは複数のセグメント８０８ａ〜８０８ｍの組合せ、あるいは１つのＭＡＣ−ｈｓ  ＳＤＵからの１つまたは複数のセグメントと１つまたは複数のＭＡＣ−ｈｓ  ＳＤＵ  ８０２ａ、８０２ｂ全体との組合せを含むことができる。ＭＡＣ−ｈｓ  ＰＤＵ  ８０４ａ〜８０４ｎは、パディングビットを含んでよい。ＷＴＲＵは、ＭＡＣ−ｈｓ  ＳＤＵ  ８０２ａ、８０２ｂのセグメントの既知のサイズに基づいて、どのビットがパディングビットであるのかを知る。所与のＭＡＣ−ｈｓ  ＳＤＵに関連付けられるセグメントのすべてが、同一のサイズを有し、このサイズは、セグメントの個数に基づく。最初のＳ−１個のセグメントのサイズは、ＭＡＣ−ｈｓ  ＳＤＵのサイズをＳの最も近い倍数に上に丸め、Ｓで割ったものとすることができる。最後のセグメントのサイズは、ＭＡＣ−ｈｓ  ＳＤＵのサイズから前のセグメントのサイズの合計を引いたものである。
【００４１】
第４実施形態は、Ｎｏｄｅ−Ｂが、同一のＭＡＣ−ｈｓ  ＰＤＵ内で、ＭＡＣ−ｈｓ  ＳＤＵの最後のセグメントと、後続ＭＡＣ−ｈｓ  ＳＤＵの最初のセグメント（図８に示されているように）または１つもしくは複数の後続ＭＡＣ−ｈｓ  ＳＤＵ全体（図９に示されているように）のいずれかと、を送信することを可能にする。これは、ＭＡＣ−ｈｓ  ＳＤＵの最後のセグメントを含むＭＡＣ−ｈｓ  ＰＤＵ内にまだ余地がある時に、Ｎｏｄｅ−Ｂがパディングビットではなくトラフィックデータを送信することを可能にするので、無線リソースのより効率的な使用を可能にする。これは、悪いチャネル状態がセグメント化につながったが、最初のセグメントが送信された後にチャネル状態が改善される状況で特に有用である可能性がある。
【００４２】
図８には、第４実施形態によるＭＡＣ−ｈｓヘッダフォーマットも示されている。ＭＡＣ−ｈｓヘッダ８０６ａ〜８０６ｎは、ＶＦ、キューＩＤ、ＳＩＤ、ＴＳＮ、ＮＦＭ、ＦＳＩＤ、Ｎフィールド、およびＦフィールドを含む。ＭＡＣ−ｈｓヘッダ内の情報要素の正確な順序が、重要ではなく、変更され得ることに留意されたい。ＶＦ、キューＩＤ、ＴＳＮ、およびＳＩＤは、第１実施形態と同一であり、したがって、説明を単純にするために、再び説明はしない。
【００４３】
ＳＩＤ、ＮＦＭ、ＦＳＩＤ、Ｎ、およびＦのセットが、１つまたは複数のＭＡＣ−ｈｓ  ＳＤＵに関連する。ＳＩＤ、ＮＦＭ、ＦＳＩＤ、Ｎ、およびＦの複数のセットを、ＭＡＣ−ｈｓ  ＰＤＵヘッダ内に含めることができる。
【００４４】
ＮＦＭは、ＳＩＤ、ＮＦＭ、ＦＳＩＤ、Ｎ、およびＦの所与のセットに関連するＭＡＣ−ｈｓ  ＳＤＵのセグメントの個数を示す。たとえば、’０’の値は、ＳＩＤ、ＮＦＭ、ＦＳＩＤ、Ｎ、およびＦのセットが、どのＭＡＣ−ｈｓ  ＳＤＵセグメントにも関連しないことを示すことができる。
【００４５】
ＦＳＩＤは、ＭＡＣ−ｈｓ  ＰＤＵ内で送信されるセグメントを示すビットマップである。ＮＦＭ（ＳＩＤ、ＮＦＭ、ＦＳＩＤ、Ｎ、およびＦの特定のセット内）に’０’がセットされる場合に、ＦＳＩＤを除去することができる。
【００４６】
Ｎフィールドは、ＳＩＤ、ＮＦＭ、ＦＳＩＤ、Ｎ、およびＦの特定のセットに関連する、等しいサイズの連続するＭＡＣ−ｈｓ  ＳＤＵ全体の個数を示す。’０’の値は、ＳＩＤ、ＮＦＭ、ＦＳＩＤ、Ｎ、およびＦの現在のセットが、いずれかのＭＡＣ−ｈｓ  ＳＤＵ全体に関連するのではなく、セグメント（１つまたは複数）だけに関連することを示すことができる。
【００４７】
Ｆフィールドは、より多くのフィールドがＭＡＣ−ｈｓ  ＰＤＵヘッダ内に存在するか否かを示すフラグである。たとえば、Ｆフィールドに’０’がセットされる場合に、そのＦフィールドには、ＳＩＤ、ＮＦＭ、ＦＳＩＤ、Ｎ、およびＦの追加のセットが続き、逆も同様である。
【００４８】
オプションで、ＤＴＳＮフィールド（図８には図示せず）を追加して、そのセグメントが既に送信され、ＷＴＲＵによって成功して受信されたＭＡＣ−ｈｓ  ＳＤＵを含むＭＡＣ−ｈｓ  ＰＤＵをＮｏｄｅ−Ｂが送信することを可能にすることができる。ＤＴＳＮフィールドは、重複したＭＡＣ−ｈｓ  ＰＤＵ（１つまたは複数）が上位レイヤ（たとえば、ＭＡＣ−ｄレイヤ）に達するのを防ぐためにＷＴＲＵが削除する必要があるＴＳＮ（１つまたは複数）を識別する。悪いチャネル状態がセグメント化につながったが、最初のセグメント（１つまたは複数）が送信された後にチャネル状態が改善される場合には、ＭＡＣ−ｈｓ  ＳＤＵの諸部分が既にＷＴＲＵによって成功して受信されている場合であっても、Ｎｏｄｅ−ＢがＭＡＣ−ｈｓ  ＳＤＵ全体を送信することが望ましい場合がある。
【００４９】
次の例は、第４実施形態によるＭＡＣ−ｈｓ  ＰＤＵヘッダセッティングを示す。
【００５０】
例１：Ｎｏｄｅ−Ｂが、ＭＡＣ−ｈｓ  ＳＤＵ  Ｘの最後の２つのセグメントとＭＡＣ−ｈｓ  ＳＤＵ  Ｙの最初のセグメントとを送信することを望む場合に、ＭＳＣ−ｈｓ  ＰＤＵは、ＳＩＤ、ＮＦＭ、ＦＳＩＤ、Ｎ、およびＦの２セットを含み、ここで、最初のセットには、ＳＩＤ＞０、ＮＦＭ＞０、ＦＳＩＤ≠０、Ｎ＝０、Ｆ＝０がセットされ、第２のセットには、ＳＩＤ＞０、ＮＦＭ＞０、ＦＳＩＤ≠０、Ｎ＝０、Ｆ＝１がセットされる。
【００５１】
例２：Ｎｏｄｅ−Ｂが、ＭＡＣ−ｈｓ  ＳＤＵ  Ｘの最後の２つのセグメントと、次の後続のＭＡＣ−ｈｓ  ＳＤＵ  Ｙ全体およびＭＡＣ−ｈｓ  ＳＤＵ  Ｚ全体とを送信することを望む場合に、ＳＩＤ、ＮＦＭ、ＦＳＩＤ、Ｎ、およびＦの１つのセットには、ＳＩＤ＞０、ＮＦＭ＞０、ＦＳＩＤ≠０、Ｎ＝２、Ｆ＝１がセットされる。
【００５２】
セグメント化を用いると、１つのＭＡＣ−ｈｓ  ＳＤＵを、複数のセグメントに分割することができ、セグメントは、別々に送信される。ＭＡＣ−ｈｓ  ＳＤＵの１つまたは複数のセグメントが失われる場合がある。図１０に、セグメントのうちの１つを失ったＭＡＣ−ｈｓ  ＳＤＵ  １００２のセグメント化を示す。ＭＡＣ−ｈｓ  ＳＤＵ  １００２は、４つのセグメントにセグメント化される。各セグメントは、別々のＭＡＣ−ｈｓ  ＰＤＵ  １００４ａ〜１００４ｄに含まれ、別々に送信される。第１、第２、および第４のセグメント１００４ａ、１００４ｂ、および１００４ｄは、ＷＴＲＵによって成功して受信され、バッファリングされる。しかし、第３セグメント１００４ｃは失われる。欠けている第３セグメントに起因して、セグメント１００４ａ〜１００４ｄをＭＡＣ−ｈｓ  ＳＤＵ  １００２にリアセンブルすることはできない。
【００５３】
ＷＴＲＵは、送信が特定のセグメントについて失敗したことを自律的に判定する。あるセグメントについてＨ−ＡＲＱプロセスが失敗したと判定されたならば、ＷＴＲＵは、リアセンブリを待っているバッファ内の同一のＭＡＣ−ｈｓ  ＳＤＵの全セグメントを削除する。
【００５４】
次の機構を、セグメントが失われたことを判定するために個別にまたは任意の組合せで使用することができる。ＷＴＲＵは、タイマベースの機構を使用することができる。ＷＴＲＵは、タイマをセットし、同一のＭＡＣ−ｈｓ  ＳＤＵの全セグメントが受信される前にタイマが満了する場合に、ＷＴＲＵは、リアセンブリを待っているそのＭＡＣ−ｈｓ  ＳＤＵの全セグメントをフラッシュ（掃き出し）する。タイマを、ＷＴＲＵがそのＭＡＣ−ｈｓ  ＳＤＵの一部であるセグメントを受信するたびに、リセットすることができる。その代わりに、タイマを、ＭＡＣ−ｈｓ  ＳＤＵの最初のセグメントの受信時に１回だけリセットすることができる。タイマの持続時間は、上位レイヤ（たとえば、無線リソース制御（ＲＲＣ）シグナリング）によって構成可能とすることができる。
【００５５】
代替案では、ＷＴＲＵは、ＷＴＲＵがＨ−ＡＲＱプロセス失敗を検出する時に、リアセンブリを待っているＭＡＣ−ｈｓ  ＳＤＵの全セグメントをフラッシュすることができる。ＷＴＲＵは、Ｈ−ＡＲＱ再送信の最大回数に達し、ＷＴＲＵがＭＡＣ−ｈｓ  ＰＤＵを成功してデコードできない時に、Ｈ−ＡＲＱプロセス失敗を検出することができる。その代わりに、ＷＴＲＵは、それについてＷＴＲＵが再送信を期待していたものと同一のＨ−ＡＲＱプロセスで（すなわち、ＨＳ−ＳＣＣＨ上のＨ−ＡＲＱプロセス情報フィールドを介して）新しいデータを示す送信を受信する時に、Ｈ−ＡＲＱプロセス失敗を検出することができる。
【００５６】
代替案では、新しいシグナリング機構をＮｏｄｅ−Ｂによって使用して、あるＭＡＣ−ｈｓ  ＳＤＵに対応するすべてのセグメントを削除しなければならないことをＷＴＲＵに示すことができる。このシグナリングは、新しいＬ１シグナリングまたはＬ２シグナリングによって、あるいは従来のＬ１シグナリングまたはＬ２シグナリングを変更することによって達成することができる。
【００５７】
より大きいパケットのセグメント化は、上で説明した利益を有する。しかし、より小さいパケットへのより大きいパケットのセグメント化が、ほとんどがパディングで充てんされるかなりより小さいパケットをもたらす場合、そのような（ほとんどがパディングされる）ＭＡＣ−ｈｓパケットの送信は、ＭＡＣ−ｈｓ送信の効率を下げ、貴重なエアインターフェースリソースを浪費するはずである。
【００５８】
図１１に、ほとんどがパディングによって充てんされるパケットの生成を示す。ＭＡＣ−ｈｓ  ＰＤＵサイズは、１８０ビットであり、ＭＡＣ−ｈｓ  ＳＤＵサイズは、２００ビットである。このＭＡＣ−ｈｓ  ＳＤＵは、２つのＭＡＣ−ｈｓ  ＰＤＵにセグメント化される必要がある。第１のＭＡＣ−ｈｓ  ＰＤＵは、完全に、ＭＡＣ−ｈｓ  ＳＤＵの最初の１８０ビットによって充填される。しかし、第２のＭＡＣ−ｈｓ  ＰＤＵは、ＭＡＣ−ｈｓ  ＳＤＵの２０ビットだけを充填され、第２のＭＡＣ−ｈｓ  ＰＤＵの残り（１６０ビット）は、パディングになるはずである。この状況に関するより効率的な解決策は、セグメント化を避け、その代わりに、より大きいトランスポートブロックサイズ（２００ビットというオリジナルＭＡＣ−ｈｓ  ＳＤＵサイズに対して十分に大きい）を送信し、パケットの成功の送達についてＨ−ＡＲＱプロセスに応答することであろう。
【００５９】
図１２に、ほとんどがＭＡＣ−ｈｓ  ＳＤＵビットによって充てんされる２つのＭＡＣ−ｈｓ  ＰＤＵの生成を示す。ＭＡＣ−ｈｓ  ＰＤＵサイズは、１８０ビットであり、ＭＡＣ−ｈｓ  ＳＤＵサイズは、３５０ビットである。ＭＡＣ−ｈｓ  ＳＤＵは、２つのＭＡＣ−ｈｓ  ＰＤＵにセグメント化される。第１のＭＡＣ−ｈｓ  ＰＤＵは、完全に、ＭＡＣ−ｈｓ  ＳＤＵの最初の１８０ビットによって充てんされる。第２のＭＡＣ−ｈｓ  ＰＤＵは、ＭＡＣ−ｈｓ  ＳＤＵの残りの１７０ビットによってほとんど完全に充てんされる。この状況では、最も効率的な解決策は、ＭＡＣ−ｈｓ  ＳＤＵのセグメント化を許容することであろう。連続するＴＴＩを介して転送されるこの２つのＭＡＣ−ｈｓ  ＰＤＵは、過度なＨ−ＡＲＱ再送信の必要を減らし、ＭＡＣ−ｈｓダウンリンク送信システムへの重荷を減らすはずである。
【００６０】
一実施形態によれば、ＭＡＣ−ｈｓ  ＳＤＵをセグメント化する前に、Ｎｏｄｅ−Ｂは、残りのＭＡＣ−ｈｓ  ＰＤＵビットに対する、ＭＡＣ−ｈｓ  ＳＤＵセグメントによって占められるＭＡＣ−ｈｓ  ＰＤＵビットの比を計算する。次に、Ｎｏｄｅ−Ｂは、この比をしきい値と比較する。この比がしきい値より大きい場合に限って、Ｎｏｄｅ−ＢはＭＡＣ−ｈｓ  ＳＤＵをセグメント化してよい。
【００６１】
実施形態
１．ＨＳＤＰＡを介してパケットを送信する方法。  
２．少なくとも１つのＭＡＣ−ｈｓ  ＳＤＵを生成することを含む、実施形態１の方法。  
３．ＭＡＣ−ｈｓ  ＳＤＵを複数のセグメントにセグメント化することを含む、実施形態２の方法。  
４．複数のＭＡＣ−ｈｓ  ＰＤＵを生成することであって、各ＭＡＣ−ｈｓ  ＰＤＵは、少なくとも１つのセグメントを含む、生成することを含む、実施形態３の方法。  
５．ＭＡＣ−ｈｓ  ＰＤＵを送信することを含む、実施形態４の方法。  
６．各ＭＡＣ−ｈｓ  ＰＤＵは、単一のＭＡＣ−ｈｓ  ＳＤＵからの１つのセグメントを含む、実施形態４〜５のいずれか１つの方法。  
７．セグメントのサイズは、ＭＡＣ−ｈｓ  ＳＤＵの最後のセグメントを除いて、ＭＡＣ−ｈｓ  ＰＤＵのサイズからＭＡＣ−ｈｓ  ＰＤＵのヘッダのサイズを引いたものと一致する、実施形態４〜５のいずれか１つの方法。  
８．ＭＡＣ−ｈｓ  ＰＤＵのヘッダは、ＦＳＮを含む、実施形態４〜７のいずれか１つの方法。  
９．セグメントのサイズは、ＭＡＣ−ｈｓ  ＳＤＵがそれにセグメント化されるセグメントの個数に基づいて決定される、実施形態４〜５のいずれか１つの方法。  
１０．ＭＡＣ−ｈｓ  ＳＤＵの最初のＳ−１個のセグメントのサイズは、ＭＡＣ−ｈｓ  ＳＤＵのサイズをＳの最も近い倍数に上に丸め、その後、Ｓによって割ったものであり、ＭＡＣ−ｈｓ  ＳＤＵの最後のセグメントのサイズは、ＭＡＣ−ｈｓ  ＳＤＵのサイズから前のＳ−１個のセグメントのサイズの合計を引いたものである、実施形態９の方法。  
１１．ＭＡＣ−ｈｓ  ＰＤＵのヘッダは、ＭＡＣ−ｈｓ  ＳＤＵのセグメントの個数を示すフィールドを含む、実施形態９〜１０のいずれか１つの方法。  
１２．ＭＡＣ−ｈｓ  ＰＤＵのヘッダは、ＭＡＣ−ｈｓ  ＰＤＵに含まれるＭＡＣ−ｈｓ  ＳＤＵのセグメントを示すフィールドを含む、実施形態９〜１１のいずれか１つの方法。  
１３．ＭＡＣ−ｈｓ  ＳＤＵのセグメントの個数は、事前定義の値に固定される、実施形態９〜１２のいずれか１つの方法。  
１４．ＭＡＣ−ｈｓ  ＰＤＵに含まれるセグメントは、任意に選択される、実施形態４〜１３のいずれか１つの方法。
【００６２】
１５．ＭＡＣ−ｈｓ  ＰＤＵのヘッダは、ＭＡＣ−ｈｓ  ＳＤＵ内のセグメントの開始位置を示すＳＰＩＤを含む、実施形態１４の方法。  
１６．ＳＰＩＤは、ビット単位およびバイト単位のうちの１つでのセグメントの開始位置を示す、実施形態１５の方法。  
１７．ＳＰＩＤは、開始位置を示すセグメント番号を示す、実施形態１５の方法。  
１８．ＳＰＩＤの第１ビットは、セグメントの開始位置がＭＡＣ−ｈｓ  ＳＤＵの始めであるかどうかを示す、実施形態１５の方法。  
１９．ヘッダは、ＭＡＣ−ｈｓ  ＳＤＵ内のセグメントの終了位置を示すＥＰＩＤおよびセグメントの長さを示すＬＩＤのうちの少なくとも１つを含む、実施形態１４の方法。  
２０．各ＭＡＣ−ｈｓ  ＰＤＵは、複数のＭＡＣ−ｈｓ  ＳＤＵからのセグメントの組合せと、１つのＭＡＣ−ｈｓ  ＳＤＵからの少なくとも１つのセグメントおよび少なくとも１つのＭＡＣ−ｈｓ  ＳＤＵ全体の組合せとのうちの１つを含む、実施形態４〜５のいずれか１つの方法。  
２１．ＭＡＣ−ｈｓ  ＰＤＵのヘッダは、ＭＡＣ−ｈｓ  ＳＤＵのセグメントの個数を示すフィールドを含む、実施形態２０の方法。  
２２．ＭＡＣ−ｈｓ  ＰＤＵのヘッダは、１つまたは複数のＭＡＣ−ｈｓ  ＳＤＵに関連する、ＳＩＤ、ＮＦＭ、ＦＳＩＤ、Ｎフィールド、およびＦフィールドの少なくとも１つのセットを含み、Ｎフィールドは、等しいサイズの連続するＭＡＣ−ｈｓ  ＳＤＵ全体の個数を示し、Ｆフィールドは、より多くのフィールドがＭＡＣ−ｈｓ  ＰＤＵヘッダ内に存在するか否かを示す、実施形態２０〜２１のいずれか１つの方法。  
２３．ＭＡＣ−ｈｓ  ＰＤＵのヘッダは、バッファから削除される必要があるＴＳＮを識別するフィールドを含む、実施形態２０〜２２のいずれか１つの方法。  
２４．残りのＭＡＣ−ｈｓ  ＰＤＵビットに対するセグメントによって占められるＭＡＣ−ｈｓ  ＰＤＵビットの比を計算することをさらに含む、実施形態４〜２３のいずれか１つの方法。  
２５．比を事前定義のしきい値と比較することであって、ＭＡＣ−ｈｓ  ＳＤＵは、比がしきい値を超える場合に限ってセグメント化される、比較することを含む、実施形態２４の方法。  
２６．ＨＳＤＰＡを介してパケットを受信する方法。  
２７．複数のＭＡＣ−ｈｓ  ＰＤＵを受信することであって、ＭＡＣ−ｈｓ  ＰＤＵは、ＭＡＣ−ｈｓ  ＳＤＵのセグメントを担持する、受信することを含む、実施形態２６の方法。  
２８．ＭＡＣ−ｈｓ  ＰＤＵをバッファに格納することを含む、実施形態２７の方法。  
２９．セグメントをＭＡＣ−ｈｓ  ＳＤＵにリアセンブル（再組み立て）することを含む、実施形態２７〜２８のいずれか１つの方法。  
３０．各ＭＡＣ−ｈｓ  ＰＤＵは、単一のＭＡＣ−ｈｓ  ＳＤＵからの１つのセグメントを含む、実施形態２１の方法。  
３１．セグメントのサイズは、ＭＡＣ−ｈｓ  ＳＤＵがそれにセグメント化されるセグメントの個数に基づいて決定される、実施形態２７〜３０のいずれか１つの方法。  
３２．ＭＡＣ−ｈｓ  ＰＤＵに含まれるセグメントは、任意に選択される、実施形態２７〜３１のいずれか１つの方法。  
３３．各ＭＡＣ−ｈｓ  ＰＤＵは、複数のＭＡＣ−ｈｓ  ＳＤＵからのセグメントの組合せと、１つのＭＡＣ−ｈｓ  ＳＤＵからの少なくとも１つのセグメントおよび少なくとも１つのＭＡＣ−ｈｓ  ＳＤＵ全体の組合せとのうちの１つを含む、実施形態２７〜３２のいずれか１つの方法。  
３４．送信が複数のセグメントのうちの少なくとも１つについて失敗したかどうかを判定することをさらに含む、実施形態２７〜３３のいずれか１つの方法。  
３５．ＭＡＣ−ｈｓ  ＳＤＵの少なくとも１つのセグメントが失われる時に、リアセンブリを待っているバッファ内のＭＡＣ−ｈｓ  ＳＤＵのセグメントを削除することをさらに含む、実施形態３４の方法。  
３６．タイマをセットすることをさらに含む、実施形態２７〜３３のいずれか１つの方法。  
３７．同一のＭＡＣ−ｈｓ  ＳＤＵの全セグメントが受信される前にタイマが満了する場合に、リアセンブリを待っているバッファ内の同一のＭＡＣ−ｈｓ  ＳＤＵの全セグメントをフラッシュ（掃き出し）することを含む、実施形態３６の方法。  
３８．タイマは、ＭＡＣ−ｈｓ  ＳＤＵの一部であるセグメントが正しい順序で受信されるたびにリセットされる、実施形態３６〜３７のいずれか１つの方法。  
３９．タイマは、ＲＲＣシグナリングによって構成可能である、実施形態３６〜３８のいずれか１つの方法。  
４０．タイマは、ＭＡＣ−ｈｓ  ＳＤＵの最初のセグメントの受信時に１回だけリセットされる、実施形態３６〜３９のいずれか１つの方法。  
４１．特定のセグメントに関するＨ−ＡＲＱプロセス失敗を検出することをさらに含む、実施形態２７〜３３のいずれか１つの方法。  
４２．リアセンブリを待っているバッファ内の同一のＭＡＣ−ｈｓ  ＳＤＵの全セグメントをフラッシュすることを含む、実施形態４１の方法。  
４３．Ｈ−ＡＲＱプロセス失敗は、Ｈ−ＡＲＱ再送信の最大回数に達した時に検出される、実施形態４１〜４２のいずれか１つの方法。  
４４．Ｈ−ＡＲＱプロセス失敗は、再送信を期待している間に同一Ｈ−ＡＲＱプロセス上で新しいデータを示す送信が受信される時に検出される、実施形態４１〜４２のいずれか１つの方法。  
４５．特定のＭＡＣ−ｈｓ  ＳＤＵに対応する全セグメントがバッファからフラッシュされることを示す信号を受信することをさらに含む、実施形態２７〜３３のいずれか１つの方法。  
４６．示されたセグメントをバッファからフラッシュすることを含む、実施形態４５の方法。  
４７．ＨＳＤＰＡを介してパケットを送信するＮｏｄｅ−Ｂ。  
４８．ＭＡＣ−ｈｓ  ＳＤＵを複数のセグメントにセグメント化し、複数のＭＡＣ−ｈｓ  ＰＤＵを生成するＭＡＣ−ｈｓレイヤであって、各ＭＡＣ−ｈｓ  ＰＤＵは、少なくとも１つのセグメントを含む、ＭＡＣ−ｈｓレイヤを含む、実施形態４７のＮｏｄｅ−Ｂ。  
４９．ＭＡＣ−ｈｓ  ＰＤＵを送信する物理レイヤを含む、実施形態４８のＮｏｄｅ−Ｂ。  
５０．各ＭＡＣ−ｈｓ  ＰＤＵは、単一のＭＡＣ−ｈｓ  ＳＤＵからの１つのセグメントを含む、実施形態４８〜４９のいずれか１つのＮｏｄｅ−Ｂ。  
５１．セグメントのサイズは、ＭＡＣ−ｈｓ  ＳＤＵの最後のセグメントを除いて、ＭＡＣ−ｈｓ  ＰＤＵのサイズからＭＡＣ−ｈｓ  ＰＤＵのヘッダのサイズを引いたものと一致する、実施形態４８〜５０のいずれか１つのＮｏｄｅ−Ｂ。  
５２．ＭＡＣ−ｈｓ  ＰＤＵのヘッダは、ＦＳＮを含む、実施形態５１のＮｏｄｅ−Ｂ。  
５３．セグメントのサイズは、ＭＡＣ−ｈｓ  ＳＤＵがそれにセグメント化されるセグメントの個数に基づいて決定される、実施形態４８〜５０のいずれか１つのＮｏｄｅ−Ｂ。  
５４．ＭＡＣ−ｈｓ  ＳＤＵの最初のＳ−１個のセグメントのサイズは、ＭＡＣ−ｈｓ  ＳＤＵのサイズをＳの最も近い倍数に上に丸め、その後、Ｓによって割ったものであり、ＭＡＣ−ｈｓ  ＳＤＵの最後のセグメントのサイズは、ＭＡＣ−ｈｓ  ＳＤＵのサイズから前のＳ−１個のセグメントのサイズの合計を引いたものである、実施形態５３のＮｏｄｅ−Ｂ。  
５５．ＭＡＣ−ｈｓ  ＰＤＵのヘッダは、ＭＡＣ−ｈｓ  ＳＤＵのセグメントの個数を示すフィールドを含む、実施形態４８〜５０のいずれか１つのＮｏｄｅ−Ｂ。  
５６．ＭＡＣ−ｈｓ  ＰＤＵのヘッダは、ＭＡＣ−ｈｓ  ＰＤＵに含まれるＭＡＣ−ｈｓ  ＳＤＵのセグメントを示すフィールドを含む、実施形態４８〜５０のいずれか１つのＮｏｄｅ−Ｂ。  
５７．ＭＡＣ−ｈｓ  ＳＤＵのセグメントの個数は、事前定義の値に固定される、実施形態４８〜５０のいずれか１つのＮｏｄｅ−Ｂ。  
５８．ＭＡＣ−ｈｓ  ＰＤＵに含まれるセグメントは、任意に選択される、実施形態４８〜５０のいずれか１つのＮｏｄｅ−Ｂ。  
５９．ＭＡＣ−ｈｓ  ＰＤＵのヘッダは、ＭＡＣ−ｈｓ  ＳＤＵ内のセグメントの開始位置を示すＳＰＩＤを含む、実施形態５８のＮｏｄｅ−Ｂ。  
６０．ＳＰＩＤは、ビット単位およびバイト単位のうちの１つでのセグメントの開始位置を示す、実施形態５８〜５９のいずれか１つのＮｏｄｅ−Ｂ。  
６１．ＳＰＩＤは、開始位置を示すセグメント番号を示す、実施形態５８〜６０のいずれか１つのＮｏｄｅ−Ｂ。  
６２．ＳＰＩＤの第１ビットは、セグメントの開始位置がＭＡＣ−ｈｓ  ＳＤＵの始めであるかどうかを示す、実施形態５８〜６１のいずれか１つのＮｏｄｅ−Ｂ。  
６３．ヘッダは、ＭＡＣ−ｈｓ  ＳＤＵ内のセグメントの終了位置を示すＥＰＩＤおよびセグメントの長さを示すＬＩＤのうちの少なくとも１つを含む、実施形態５８のＮｏｄｅ−Ｂ。  
６４．各ＭＡＣ−ｈｓ  ＰＤＵは、複数のＭＡＣ−ｈｓ  ＳＤＵからのセグメントの組合せと、１つのＭＡＣ−ｈｓ  ＳＤＵからの少なくとも１つのセグメントおよび少なくとも１つのＭＡＣ−ｈｓ  ＳＤＵ全体の組合せとのうちの１つを含む、実施形態４８〜５０のいずれか１つのＮｏｄｅ−Ｂ。  
６５．ＭＡＣ−ｈｓ  ＰＤＵのヘッダは、ＭＡＣ−ｈｓ  ＳＤＵのセグメントの個数を示すフィールドを含む、実施形態６４のＮｏｄｅ−Ｂ。  
６６．ＭＡＣ−ｈｓ  ＰＤＵのヘッダは、１つまたは複数のＭＡＣ−ｈｓ  ＳＤＵに関連する、ＳＩＤ、ＮＦＭ、ＦＳＩＤ、Ｎフィールド、およびＦフィールドの少なくとも１つのセットを含み、Ｎフィールドは、等しいサイズの連続するＭＡＣ−ｈｓ  ＳＤＵ全体の個数を示し、Ｆフィールドは、より多くのフィールドがＭＡＣ−ｈｓ  ＰＤＵヘッダ内に存在するか否かを示す、実施形態６４〜６５のいずれか１つのＮｏｄｅ−Ｂ。  
６７．ＭＡＣ−ｈｓ  ＰＤＵのヘッダは、バッファから削除される必要があるＴＳＮを識別するフィールドを含む、実施形態４８〜６６のいずれか１つのＮｏｄｅ−Ｂ。  
６８．ＭＡＣ−ｈｓレイヤは、残りのＭＡＣ−ｈｓ  ＰＤＵビットに対するセグメントによって占められるＭＡＣ−ｈｓ  ＰＤＵビットの比を計算し、比が事前定義のしきい値を超える場合に限ってＭＡＣ−ｈｓ  ＳＤＵがセグメント化されるようにするために比をしきい値と比較するように構成される、実施形態４８〜６７のいずれか１つのＮｏｄｅ−Ｂ。  
６９．ＨＳＤＰＡを介してパケットを受信するＷＴＲＵ。  
７０．複数のＭＡＣ−ｈｓ  ＰＤＵを受信する物理レイヤであって、ＭＡＣ−ｈｓ  ＰＤＵは、ＭＡＣ−ｈｓ  ＳＤＵのセグメントを担持する、物理レイヤを含む、ＷＴＲＵ。  
７１．受信されたＭＡＣ−ｈｓ  ＰＤＵを格納し、セグメントをＭＡＣ−ｈｓ  ＳＤＵにリアセンブルするＭＡＣ−ｈｓレイヤを含む、実施形態７０のＷＴＲＵ。  
７２．各ＭＡＣ−ｈｓ  ＰＤＵは、単一のＭＡＣ−ｈｓ  ＳＤＵからの１つのセグメントを含む、実施形態７０〜７１のいずれか１つのＷＴＲＵ。  
７３．セグメントのサイズは、ＭＡＣ−ｈｓ  ＳＤＵがそれにセグメント化されるセグメントの個数に基づいて決定される、実施形態７２のＷＴＲＵ。  
７４．ＭＡＣ−ｈｓ  ＰＤＵに含まれるセグメントは、任意に選択される、実施形態７０〜７３のいずれか１つのＷＴＲＵ。  
７５．各ＭＡＣ−ｈｓ  ＰＤＵは、複数のＭＡＣ−ｈｓ  ＳＤＵからのセグメントの組合せと、１つのＭＡＣ−ｈｓ  ＳＤＵからの少なくとも１つのセグメントおよび少なくとも１つのＭＡＣ−ｈｓ  ＳＤＵ全体の組合せとのうちの１つを含む、実施形態７４のＷＴＲＵ。  
７６．ＭＡＣ−ｈｓレイヤは、送信が複数のセグメントのうちの少なくとも１つについて失敗したかどうかを判定するように構成される、実施形態７０〜７５のいずれか１つのＷＴＲＵ。  
７７．ＭＡＣ−ｈｓレイヤは、ＭＡＣ−ｈｓ  ＳＤＵの少なくとも１つのセグメントが失われる時に、リアセンブリを待っている格納されたセグメントを削除するように構成される、実施形態７６のＷＴＲＵ。  
７８．ＭＡＣ−ｈｓレイヤは、同一のＭＡＣ−ｈｓ  ＳＤＵの全セグメントが受信される前にタイマが満了する場合に、リアセンブリを待っている同一のＭＡＣ−ｈｓ  ＳＤＵの全セグメントをバッファからフラッシュするように構成される、実施形態７０〜７７のいずれか１つのＷＴＲＵ。  
７９．タイマは、ＭＡＣ−ｈｓ  ＳＤＵの一部であるセグメントが正しい順序で受信されるたびにリセットされる、実施形態７８のＷＴＲＵ。  
８０．タイマは、ＲＲＣシグナリングによって構成可能である、実施形態７８〜７９のいずれか１つのＷＴＲＵ。  
８１．タイマは、ＭＡＣ−ｈｓ  ＳＤＵの最初のセグメントの受信時に１回だけリセットされる、実施形態７８〜８０のいずれか１つのＷＴＲＵ。  
８２．ＭＡＣ−ｈｓレイヤは、Ｈ−ＡＲＱプロセス失敗が特定のセグメントに関して検出される時に、リアセンブリを待っている同一のＭＡＣ−ｈｓ  ＳＤＵの全セグメントをバッファからフラッシュする、実施形態７８〜８１のいずれか１つのＷＴＲＵ。  
８３．Ｈ−ＡＲＱプロセス失敗は、Ｈ−ＡＲＱ再送信の最大回数に達した時に検出される、実施形態８２のＷＴＲＵ。  
８４．Ｈ−ＡＲＱプロセス失敗は、再送信を期待している間に同一Ｈ−ＡＲＱプロセス上で新しいデータを示す送信が受信される時に検出される、実施形態８２のＷＴＲＵ。
【００６３】
特徴および要素を、実施形態で特定の組合せで説明したが、各特徴または要素を、実施形態の他の特徴および要素を伴わずに単独でまたは他の特徴および要素を伴うもしくは伴わないさまざまな組合せで使用することができる。提供される方法は、汎用コンピュータまたはプロセッサによる実行のためにコンピュータ可読記憶媒体内で有形に実施されるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光媒体を含む。
【００６４】
適切なプロセッサは、たとえば、汎用プロセッサ、特殊目的プロセッサ、通常のプロセッサ、ディジタル信号プロセッサ（ＤＳＰ）、複数のマイクロプロセッサ、ＤＳＰコアに関連する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態機械を含む。
【００６５】
ソフトウェアに関連するプロセッサを使用して、無線送受信ユニット（ＷＴＲＵ）、ユーザ機器（ＵＥ）、端末、基地局、無線ネットワークコントローラ（ＲＮＣ）、または任意のホストコンピュータ内で使用されるラジオ周波数トランシーバを実施することができる。ＷＴＲＵは、カメラ、ビデオカメラモジュール、ビデオ電話、スピーカホン、振動デバイス、スピーカ、マイクロホン、テレビジョントランシーバ、ハンズフリーヘッドセット、キーボード、Ｂｌｕｅｔｏｏｔｈ（登録商標）モジュール、周波数変調（ＦＭ）ラジオユニット、液晶ディスプレイ（ＬＣＤ）表示ユニット、有機発光ダイオード（ＯＬＥＤ）表示ユニット、ディジタル音楽プレイヤ、メディアプレイヤ、ビデオゲームプレイヤモジュール、インターネットブラウザ、および／または任意の無線ローカルエリアネットワーク（ＷＬＡＮ）モジュールなど、ハードウェアおよび／またはソフトウェアで実施されるモジュールと共に使用することができる。
【図１】
2014064332.tif 000004
【図２】
2014064332.tif 000005
【図３】
2014064332.tif 000006
【図４】
2014064332.tif 000007
【図５】
2014064332.tif 000008
【図６】
2014064332.tif 000009
【図７】
2014064332.tif 000010
【図８】
2014064332.tif 000011
【図９】
2014064332.tif 000012
【図１０】
2014064332.tif 000013
【図１１】
2014064332.tif 000014
【図１２】
2014064332.tif 000015